(57)【要約】      （修正有）【課題】保温性を改善した魔法瓶等の保温装置を提供する。【解決手段】外気との熱伝導を遮断する熱遮断壁２により構成され、液体５の流入口１３を備えた密閉構造で、液体を保温貯留する保温装置１において、内部に貯留する液体の表面の上部空間８に接する面積を少なくし、該液体表面からの熱の出入りを押さえる為に該液体表面上に浮かべる遮断部材６を備える。【選択図】図１
2011136118.tif 000002
【特許請求の範囲】
【請求項１】
外気との熱伝導を遮断する熱遮断壁により構成され、液体の流入口を備えた密閉構造で、液体を保温貯留する保温装置において、内部に貯留する液体の表面の上部空間に接する面積を少なくし、該液体表面からの熱の出入りを押さえる為に該液体表面上に浮かべる遮断部材を備えたもの。
【請求項２】
請求項１における遮断部材の下部に対流防止部材を配した保温装置。
【請求項３】
請求項１における遮断部材を複数備えた保温装置
【請求項４】
請求項１，請求項２，請求項３において、遮断部材を輻射熱反射部材を少なくともその一部にもちいたもの。
【発明の詳細な説明】
【技術分野】
【０００１】  液体の保温技術
【背景技術】
【０００２】  魔法瓶等の液体の保温を保つもの
【先行技術文献】
特になし
【発明の概要】
【発明が解決しようとする課題】
【０００４】  従来の外部ケースと内部液貯留槽との間に空間を設け、熱伝達を遮断（一般に該空間を真空にして熱を遮断）する熱遮断壁により構成され、エネルギーの入出のみを押さえ内部貯留液の保温を目的とする保温装置に於いては、内部貯留液の温度は貯留槽内の上部と底部とでは異なる、温度が上がると膨張する通常の液体では、上部液体の温度が底部液体の温度より高くなる。
貯留槽上部は液体の出入り口があり、ここは外部に接続しているため温度も外部に近くなる、このため貯留槽上部と内部貯留液面との間に輻射熱による熱の移動が発生する。  内部貯留液上部は貯留槽内の気体のある空間に面しているから、内部貯留液が外部より高温の場合、空間に面している液面より蒸発が発生し、熱が外部に逃げ、保温効果を弱めている。
【課題を解決するための手段】
【０００５】  貯留槽内部液面での通過を遮断するために、貯留槽内部液面に、浮遊させた熱の通過を遮断する遮断部材を配する。
遮断部材は、液面中央に浮遊している為。（遮断部材が一方に片寄り貯留槽内壁に接触したとしても、その接触部は線接触か点接触である為、熱伝達はほとんど無く）貯留槽内壁との接続を断ち、貯留槽内壁からの熱の伝達はほとんど無く、熱的に貯留槽の影響を無くする。
この状態で遮断部材は、輻射熱を反射遮断する構成とし、貯留槽内壁と液面間の輻射熱の伝達をほとんど遮断する
このため遮断部材は輻射熱の反射の大きい（アルミコーティング、金属メッキなど）面状態、又は輻射熱の反射の大きい材質とする。この構成は、アルミ板等を軽い浮き部材に貼り付けたもの、輻射熱の反射の大きい材質の浮き部材、中空の部材の内側や、外側に輻射熱の反射の大きい部材をコーティングしたもの、中ムクの部材に輻射熱の反射の大きい部材をコーティングしたもの等、液に浮く各種反射部材が適用出来る。
さらに、液の温度が外気より高い場合は、遮断部材が気体に接している上部液面の面積を減少させる方法により、液面からの蒸発をおさえ温度変化を防ぐ。
【発明の効果】
【０００６】  保温装置の保温効果を高め、エネルギー消費が少なく出来る
保温時間が長く出来る。
【図面の簡単な説明】
【０００７】
【図１】簡単な遮断部材を用いた実施例
【図２】対流を押さえた部材を有する遮断部材を用いた実施例
【図３】複数の遮断部材を用いた実施例
【図４】遮断部材の例
【図５】遮断部材の例
【図６】遮断部材の例
【図７】遮断部材の例
【発明を実施するための形態】
【実施例】
【０００８】  本発明の第一の実施例を図１にて、説明する。
保温装置１は、外部ケース２と、内部液貯留槽４と、その間に設けられた熱伝導を遮断するスペース３と、外部ケース２と内部液貯留槽４とを保持する保持部１２と、内部液貯留槽４の上部開口部１３の蓋７と、内部貯留槽４内に貯留される液５と、液上面の空間８と、による構成を有する保温装置において、液５の上面に、輻射熱を遮断し、液５の表面の空間８に接する面積を少なくするための、
液５の表面に浮かぶ、輻射熱反射遮断する、遮断部材６を配したものである。
浮かぶ状態としたため、また、糸、アミ状のもので内部貯留槽壁と繋留したとしても、内部貯留槽壁からの熱伝達はほとんど無く、
これにより液面を通過する輻射熱を減少させ、液面の温度が高い場合は液５の表面からの蒸発を減少させ、更に保温効果を高める。
遮断部材６としては円盤状，球状、半球状、多角形状等が利用出来る。【０００９】  本発明の第二の実施例を図２にて、説明する。
第一の実施例の遮断部材６の下部に配設され、液５の対流を防ぐ壁の対流防止部材１０で、保持部材９で遮断部材６に取り付けられている。
これにより、液５の対流を妨げ、温度変化を押さえる。
この対流防止部材１０は垂直に設けることも出来る。
また、アミ状、コイル状のものを遮断部材６と独立して、液中に配することも可能である。【００１０】  本発明の第三の実施例を図３にて説明する
第一の実施例の遮断部材６を複数の遮断部材（図では球状部材）１１に置き換え、異なった形状の内部貯留槽にも利用出来る様にしたものである。
複数の遮断部材を袋にまとめ、形状の自由を得る事も良い。
ここで、遮断部材６，１１としては、熱伝導の悪い材料、内部を空洞にし、内部に気体を入れる、真空にする等、また、体積変化しやすい、部材構成とし、空間８の断熱圧縮、断熱膨張、による、圧力変化を補い温度変化を補償することも出来る。【００１１】  本発明の遮断部材の実施例の第一の例について図４にて説明する。
遮断部材１４は、中空密閉部材１５の内側を輻射熱反射材１６でコーティングされたもの
本発明の遮断部材の実施例の第二の例について図５にて説明する。
遮断部材１７はムク材１８の外側を輻射熱反射材でコーティングされたもの
本発明の遮断部材の実施例の第三の例について図６にて説明する。
遮断部材２０は、比重の軽い浮き部材２１、に輻射熱反射材２２を取り付けたもの。
本発明の遮断部材の実施例の第三の例について図７にて説明する。
遮断部材２３は中空部材２４の外側に、輻射熱反射材２５をコーティングしたものである、
ここでコーティングとはメッキ、その他の表面処理一切を含む
【産業上利用の可能性】
【００１２】各種施設、病院、家庭用の魔法瓶、一般産業用液状物保温装置にて、
保温時間の延長効果が得られる。
【符号の説明】
【００１３】１，  保温装置
２，  外部ケース
３，  スペース
４，  内部液貯留槽
５，  液
６，  遮断部材
７，  蓋
８，  空間
９，  保持部債
１０，対流防止部材
１１，遮断部材
１２，保持部材
１３，開口部
１４，遮断部材
１５，中空密閉部材
１６，輻射熱反射材
１７，遮断部材
１８，ムク材
１９，輻射熱反射材
２０，遮断部材
２１，浮き部材
２２，輻射熱反射材
２３，遮断部材
２４，中空部材
２５，輻射熱反射材
【図１】
2011136118.tif 000003
【図２】
2011136118.tif 000004
【図３】
2011136118.tif 000005
【図４】
2011136118.tif 000006
【図５】
2011136118.tif 000007
【図６】
2011136118.tif 000008
【図７】
2011136118.tif 000009